(57)【特許請求の範囲】
【請求項１】
文字や記号を表示可能な表示装置と、
その表示装置へ回線が閉結されている相手側装置の情報を表示させる表示手段とを備え、
前記表示手段は、１の相手側装置との回線の閉結中に新たに他の相手側装置から着呼があった場合に、その新たに着呼のあった他の相手側装置の情報と回線が閉結されている１の相手側装置の情報とを前記表示装置に上下２段にそれぞれ表示させて、回線が閉結されている１の相手側装置の情報を前記表示装置の上段側に表示させる一方、前記他の相手側装置の情報を前記表示装置の下段側に表示させると共に、回線が閉結されている１の相手側装置の情報と前記他の相手側装置の情報とを識別可能に表示させる識別手段を備えていることを特徴とする電話装置。
【請求項２】
前記識別手段は、１の相手側装置または他の相手側装置のいずれか一方の情報を点滅表示、反転表示または太字表示させることを特徴とする請求項１記載の電話装置。
【請求項３】
前記識別手段は、１の相手側装置または他の相手側装置のいずれか一方の情報に識別マークを付加して表示することを特徴とする請求項１記載の電話装置。
【請求項４】
回線の閉結前に交換機側から送られる相手側装置の電話番号を受信可能な第１受信手段と、回線の閉結中に交換機側から送られる相手側装置の電話番号を受信可能な第２受信手段と、発呼時に発呼先である相手側装置の電話番号を記憶する記憶手段とを備え、
前記表示手段は、前記第１受信手段、第２受信手段および記憶手段により受信または記憶されている相手側装置の電話番号に基づいて、相手側装置の情報を前記表示装置へ表示させることを特徴とする請求項１から３のいずれかに記載の電話装置。
【請求項５】
前記表示手段により前記表示装置に表示されている相手側装置の情報のうち、回線が開放された相手側装置の情報を前記表示装置から消去する消去手段を備えていることを特徴とする請求項１から４のいずれかに記載の電話装置。
【発明の詳細な説明】
【０００１】
【発明の属する技術分野】
本発明は電話装置に関し、特に、電話回線の閉結中に交換機から送られる発呼側装置の電話番号（発信者番号）を受信することができる電話装置に関するものである。
【０００２】
【従来の技術】
日本をはじめ、アメリカやイギリス等では、いわゆる発信電話番号表示サービス（「ナンバーディスプレイ」、「Caller ID」）が実用化されている。このサービスは、被呼側装置が当該サービスに加入している場合に、交換機から発呼側装置（発信者）の電話番号（発信者番号）を被呼側装置へ送信するサービスである。発呼側装置の電話番号が送信されるタイミングは、日本やイギリスでは、最初の呼出信号の直前の無音区間であり、アメリカでは、最初の呼出信号と次の呼出信号との間の無音区間である。このため発呼側装置の電話番号は、被呼側装置の受話器を取り上げる前に（受話器をオンフック状態にしたまま、即ち、電話回線を開放したまま）受信することができる。よって、このサービスを利用すれば、被呼側装置の受話器を取り上げる前に、発呼側装置の電話番号を被呼側装置（電話機）の表示器（例えば、液晶ディスプレイ（ＬＣＤ））に表示して、受信者に発信者を認識させることができる。
【０００３】
また、通話中に他から新たな電話がかかってきた場合、簡単な操作で通話相手を切り替えることができる、いわゆるキャッチホンサービスが実用化されている。このキャッチホンサービスにおいて、既にアメリカでは、通話中にかけてきた発呼側装置の電話番号を交換機から送信するサービス（コール・ウエイティング・コーラーＩＤサービス）が実用化されている。電話機の中には、このサービスにより交換機から送られる発呼側装置の電話番号を受信して、通話中に、その受信した発呼側装置の電話番号を電話機のＬＣＤへ表示する、いわゆるコール・ウエイティング・コーラーＩＤ機能を備えたものがある。よって、この機能を備えた電話機では、ＬＣＤの表示内容を見ることにより、新たにかけてきた発信者を認識することができる。
【０００４】
従って、これらのサービスを利用することにより、初めにかけてきた相手側装置の電話番号と新たにかけてきた相手側装置の電話番号とをＬＣＤへ表示することができるのである。
【０００５】
【発明が解決しようとする課題】
しかしながら、初めにかけてきた相手側装置の電話番号と新たにかけてきた相手側装置の電話番号とが、単にＬＣＤへ表示されても、その表示内容を見るだけでは、通話中の相手がいずれの相手であるのかを区別することが困難であるという問題点があった。このため、通話者は重要な相手との通話中であるにも拘らず、誤って電話を切ってしまうことがあるという問題点があった。
【０００６】
本発明は上述した問題点を解決するためになされたものであり、回線が閉結されている相手側装置が２以上ある場合に、通話中の相手側装置を識別することができる電話装置を提供することを目的としている。
【０００７】
【課題を解決するための手段】
【０００８】
【０００９】
【００１０】
【００１１】
【００１２】
【００１３】
請求項１記載の電話装置は、文字や記号を表示可能な表示装置と、その表示装置へ回線が閉結されている相手側装置の情報を表示させる表示手段とを備えており、更に、前記表示手段は、１の相手側装置との回線の閉結中に新たに他の相手側装置から着呼があった場合に、その新たに着呼のあった他の相手側装置の情報と回線が閉結されている１の相手側装置の情報とを前記表示装置に上下２段にそれぞれ表示させて、回線が閉結されている１の相手側装置の情報を前記表示装置の上段側に表示させる一方、前記他の相手側装置の情報を前記表示装置の下段側に表示させると共に、回線が閉結されている１の相手側装置の情報と前記他の相手側装置の情報とを識別可能に表示させる識別手段を備えている。
【００１４】
この請求項１記載の電話装置によれば、１の相手側装置との回線の閉結中に新たに他の相手側装置から着呼があると、新たに着呼した他の相手側装置の情報と回線が閉結されている１の相手側装置の情報とは表示手段によって表示装置へ上下２段にそれぞれ表示され、回線が閉結されている１の相手側装置の情報は表示装置の上段側に表示される一方、他の相手側装置の情報は表示装置の下段側に表示される。この表示装置へ表示される他の相手側装置の情報は、識別手段によって、回線を閉結している１の相手側装置の情報と識別可能に表示される。
【００１５】
請求項２記載の電話装置は、請求項１記載の電話装置において、前記識別手段は、１の相手側装置または他の相手側装置のいずれか一方の情報を点滅表示、反転表示または太字表示させるものである。
【００１６】
請求項３記載の電話装置は、請求項１記載の電話装置において、前記識別手段は、１の相手側装置または他の相手側装置のいずれか一方の情報に識別マークを付加して表示するものである。
【００１７】
請求項４記載の電話装置は、請求項１から３のいずれかに記載の電話装置において、回線の閉結前に交換機側から送られる相手側装置の電話番号を受信可能な第１受信手段と、回線の閉結中に交換機側から送られる相手側装置の電話番号を受信可能な第２受信手段と、発呼時に発呼先である相手側装置の電話番号を記憶する記憶手段とを備えており、前記表示手段は、前記第１受信手段、第２受信手段および記憶手段により受信または記憶されている相手側装置の電話番号に基づいて、相手側装置の情報を前記表示装置へ表示させるものである。
【００１８】
請求項５記載の電話装置は、請求項１から４のいずれかに記載の電話装置において、前記表示手段により前記表示装置に表示されている相手側装置の情報のうち、回線が開放された相手側装置の情報を前記表示装置から消去する消去手段を備えている。
【００１９】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。本体２の上面前部には複数のボタン４ａを備えた操作パネル４が設けられ、その操作パネル４の左上端部には、電話回線を通話中の電話装置から他の電話装置へ切り替えるための切替ボタン４ｂが設けられている。操作パネル４の左後部には、表示部に２行表示することが可能な液晶表示器（ＬＣＤ）５が設けられている。ファクシミリ装置１は、この操作パネル４上に設けられた各ボタン４ａが押下されることにより操作されるとともに、その操作状態や操作手順などがＬＣＤ５に表示される。
【００２０】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印字に使用された記録紙は、原稿排出口７の下方に設けられた記録紙排出口８から排出される。
【００２１】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、アンプ２７が備えられ、これらはバスライン３０を介して互いに接続されている。
【００２２】
ＮＣＵ１９は回線制御を行うためのものであり、ファクシミリ装置１はこのＮＣＵ１９を介して電話回線３１に接続されている。ＮＣＵ１９は、交換機２９から送信される呼び出し信号や相手側装置（発呼側装置）の電話番号（発信者番号）等を受信すると共に、操作パネル４上に設けられているボタン４ａの操作に応じた発信時のダイヤル信号を交換機２９へ送信したり、更には通話時におけるアナログ音声信号の送受信を行うものである。ＥＥＰＲＯＭ１３は、書換可能な不揮発性のメモリであり、ＥＥＰＲＯＭ１３へ記憶されたデータは、ファクシミリ装置１の電源オフ後も保持される。
【００２３】
ＲＡＭ１４は、ファクシミリ装置１の各動作の実行時に各種のデータを一時的に記憶するためのメモリであり、第１発信者番号メモリ１４ａと第２発信者番号メモリ１４ｂとを備えている。第１発信者番号メモリ１４ａは、電話回線の閉結前に着呼（呼び出し信号の着信）があった際に、従来技術の欄で説明した「発信電話番号表示サービス」によって交換機２９から送信される相手側装置（発呼側装置）の電話番号（発信者番号）を一時的に記憶するためのメモリである。このため、着呼があっても交換機２９から相手側装置（発信者）の電話番号が送信されない場合には、第１発信者番号メモリ１４ａの内容を「０」クリアしている。従って、第１発信者番号メモリ１４ａの内容を調べて、「０」でなければ、第１発信者番号メモリ１４ａに記憶される電話番号の相手側装置（発信者）からの着呼であると判断でき、一方、第１発信者番号メモリ１４ａの内容が「０」であれば、着呼のあった相手側装置（発信者）の電話番号が交換機２９から送信されなかったと判断することができる。なお、通話中の相手側装置としては、本ファクシミリ装置１への発呼側装置のみでなく、本ファクシミリ装置１の発呼先装置を通話中の相手側装置として用いることも当然に可能である。この場合には、操作パネル４のボタン４ａによって入力される発呼先の電話番号を第１発信者番号メモリ１４ａに記憶する。
【００２４】
第２発信者番号メモリ１４ｂは、１の相手側装置（電話装置）との通話中に新たな着呼がある場合、従来技術の欄で説明した「コール・ウエイティング・コーラーＩＤサービス」によって交換機２９から送信される相手側装置（発呼側装置）の電話番号を一時的に記憶するためのメモリである。このため、通話中に新たな着呼があっても交換機２９から相手側装置（発信者）の電話番号が送信されない場合には、第２発信者番号メモリ１４ｂの内容を「０」クリアしている。従って、第２発信者番号メモリ１４ｂの内容を調べて、「０」でなければ、第２発信者番号メモリ１４ｂに記憶される電話番号の相手側装置（発信者）からの着呼であると判断でき、一方、第２発信者番号メモリ１４ｂの内容が「０」であれば、通話中に新たに着呼のあった相手側装置（発信者）の電話番号が交換機２９から送信されなかったと判断することができる。
【００２５】
前記したＬＣＤ５には、その上の行（上段）へ第１発信者番号メモリ１４ａの内容（第１発信者番号メモリ１４ａが「０」クリアされている場合には「第１発信者」）が、その下の行（下段）へ第２発信者番号メモリ１４ｂの内容（第２発信者番号メモリ１４ｂが「０」クリアされている場合には「第２発信者」）がそれぞれ表示される。図３には、そのＬＣＤ５の表示例が図示されている。図３（ａ）に示すように、２つの電話回線が同時に閉結している場合、ＬＣＤ５には通話中の相手側装置の電話番号の横に接続マーク５ａが表示される。この接続マーク５ａの表示は、通話者により切替ボタン４ｂが押下されて、通話相手（相手側装置）が切り替えられる度に、上段から下段へ、或いは、下段から上段へ移動する。よって、通話者は、ＬＣＤ５の表示内容を見ることにより、通話中の相手側装置と待機中の相手側装置とを識別することができ、重要な相手（相手側装置）と閉結されている電話回線を誤って開放してしまうことを防止することができるのである。
【００２６】
また、通話中に新たな着呼があった場合には、図３（ｂ）に示すように、新たに着呼のあった相手側装置の電話番号（即ち、第２発信者番号メモリ１４ｂに記憶されている電話番号）がＬＣＤ５の下段に「点滅」して表示される。よって、通話者は、ＬＣＤ５の表示内容を見ることにより、通話中の相手側装置と新たに着呼のあった相手側装置とを識別することができるのである。
【００２７】
なお、図３（ｃ）及び（ｄ）に示すように、ＬＣＤ５の表示部が１行しかなく、２つの電話回線が同時に閉結されている場合には、通話者によって切替ボタン４ｂが押下される度に、通話中の相手側装置（発信者）の内容（即ち、第１発信者番号メモリ１４ａの内容（その内容が「０」クリアされている場合には「第１発信者」）、または、第２発信者番号メモリ１４ｂの内容（その内容が「０」クリアされている場合には「第２発信者」））が交互に表示されるのである。
【００２８】
また、電話回線が閉結されている相手側装置が２つある場合に、一方の相手側装置の電話回線が開放されると、電話回線の開放された相手側装置（発信者）の表示はＬＣＤ５から消去される。よって、２つの電話回線の閉結中に１つの電話回線が開放された場合にも、通話者は、ＬＣＤ５の表示内容を見ることにより、電話回線が閉結されている相手側装置を認識することができるのである。
【００２９】
図２における画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、発呼側装置へ送出される応答メッセージや、発呼側装置から送られてきた入来メッセージを記憶するメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００３０】
音声ＬＳＩ１７は、ＮＣＵ１９によって受信されたアナログ音声信号をデジタル音声信号に変換すると共に、このファクシミリ装置１の内部で生成されたデジタル音声信号をアナログ音声信号に変換して、ＮＣＵ１９やスピーカ２８（アンプ２７）へ出力するためのものである。
【００３１】
モデム２０は、画情報を変調および復調して伝送すると共に伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するものであり、復号化されたデータは、プリンタ２５により記録紙に印刷される。
【００３２】
操作パネル４は、操作者がこのファクシミリ装置１の設定等を行う場合に各種の操作を行うためのものであり、アンプ２７は、そのアンプ２７に接続されたスピーカ２８を鳴動して、呼び出し音や音声を出力するためのものである。
【００３３】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、他の交換機に接続されている。なお、他の交換機は、更に、電話回線を介して発呼側装置や転送先となる他の装置に接続されている。
【００３４】
次に、図４から図７のフローチャ−トを参照して、上記のように構成されたファクシミリ装置１の動作について説明する。図４は、着信時における処理を示したフローチャートである。図４に示すように、ファクシミリ装置１は、呼出信号を待機し（Ｓ１：Ｎｏ）、呼出信号があると（Ｓ１：Ｙｅｓ）、図５に示す第１発信者番号表示処理を実行する（Ｓ２）。
【００３５】
図５に示す第１発信者番号表示処理では（Ｓ２）、まず、電話回線を開放したままの状態で、発信電話番号表示サービスにより交換機２９から送信される相手側装置（発呼側装置）の電話番号（発信者番号）を受信できたか否かを判断する（Ｓ２１）。発信者番号を受信した場合には（Ｓ２１：Ｙｅｓ）、その受信した発信者番号をＲＡＭ１４の第１発信者番号メモリ１４ａへ書き込む（Ｓ２２）とともに、その第１発信者番号メモリ１４ａの内容をＬＣＤ５の上段に「点灯」して表示する（Ｓ２３）。一方、本ファクシミリ装置１が発信電話番号表示サービスに加入していても、発信者が電話番号の送信を拒否している場合には、交換機２９から発信者番号は送信されないので、発信者番号を受信することができない。よって、かかる場合には（Ｓ２１：Ｎｏ）、第１発信者番号メモリ１４ａの内容を「０」クリアして（Ｓ２４）、発信者番号が受信できなかったことを記憶するとともに、「第１発信者」をＬＣＤ５の上段に「点灯」して表示する（Ｓ２５）。ＬＣＤ５への表示後（Ｓ２３，Ｓ２５）、この第１発信者番号表示処理を終了する。
【００３６】
第１発信者番号表示処理（Ｓ２）が終了すると、図４のＳ３の処理へ移行し、呼出信号が継続しているか否かを確認する（Ｓ３）。呼出信号が継続していれば（Ｓ３：Ｙｅｓ）、受話器３が取り上げられたか否か、即ち、オフフック状態であるか否かを確認する（Ｓ４）。受話器３がオンフック状態であれば（Ｓ４：Ｎｏ）、Ｓ３の処理へ移行して、Ｓ３及びＳ４の処理を繰り返す。このＳ３及びＳ４の処理の実行中に呼出信号が中断すれば（Ｓ３：Ｎｏ）、Ｓ２の処理によって表示されたＬＣＤ５の上段の表示を消去し（Ｓ５）、処理をＳ１へ移行して、次の呼出信号を待機する（Ｓ１）。一方、受話器３が取り上げられて、オフフック状態となれば（Ｓ４：Ｙｅｓ）、電話回線を閉結するとともに電話処理を開始する（Ｓ６）。
【００３７】
電話処理（Ｓ６）の実行中に、新たな電話の着呼があると、通話者の受話器３から割り込み音が鳴動され（Ｓ７：Ｙｅｓ）、図６に示す第２発信者番号表示処理が実行される（Ｓ８）。図６の第２発信者番号表示処理では、通話中、即ち、電話回線が１つ閉結している状態で、コール・ウエイティング・コーラーＩＤサービスにより交換機２９から送信される相手側装置（第２発信者）の電話番号（発信者番号）を受信できたか否かを判断する（Ｓ３１）。発信者番号を受信した場合には（Ｓ３１：Ｙｅｓ）、その受信した発信者番号をＲＡＭ１４内の第２発信者番号メモリ１４ｂへ書き込む（Ｓ３２）とともに、その第２発信者番号メモリ１４ｂの内容をＬＣＤ５の下段へ「点滅」して表示する（Ｓ３３）。一方、本ファクシミリ装置１がコール・ウエイティング・コーラーＩＤサービスに加入していても、第２発信者が電話番号の送信を拒否している場合には、交換機２９から発信者番号は送信されないので、発信者番号を受信することができない。よって、かかる場合には（Ｓ３１：Ｎｏ）、第２発信者番号メモリ１４ｂの内容を「０」クリアして（Ｓ３４）、発信者番号が受信できなかったことを記憶するとともに、「第２発信者」をＬＣＤ５の下段へ「点滅」して表示するのである（Ｓ３５）。ＬＣＤ５への表示後（Ｓ３３，Ｓ３５）、この第２発信者番号表示処理を終了する。
【００３８】
このように第２発信者番号表示処理では、第２発信者番号メモリ１４ｂの内容若しくは「第２発信者」をＬＣＤ５の下段へ点滅して表示する。よって、通話者は、ＬＣＤ５の表示内容を見ることにより、通話中に新たに着呼した相手側装置（第２発信者）を、通話中の相手側装置と区別して認識することができるのである。
【００３９】
第２発信者番号表示処理（Ｓ８）が終了すると、図４のＳ９の処理へ移行し、切替ボタン４ｂが押下されたか否かを判断する（Ｓ９）。切替ボタン４ｂが押下されていなければ（Ｓ９：Ｎｏ）、処理をＳ６へ移行して、割り込み音が継続している間中、Ｓ６からＳ９の処理を繰り返す。一方、切替ボタン４ｂが押下されると（Ｓ９：Ｙｅｓ）、通話相手を切り替えるとともに、ＬＣＤ５の下段に表示される第２発信者の「点滅」表示を「点灯」表示させる（Ｓ１０）。その後、通話中の相手側装置である第２発信者の点灯表示の横に接続マーク５ａを表示する（Ｓ１１）。これにより通話者は、ＬＣＤ５の表示内容を見ることにより、通話中の相手側装置と待機中の相手側装置とを識別することができるのである。
【００４０】
第２発信者の点灯表示の横に接続マーク５ａが表示された後、受話器３がおろされたか否か、即ちオンフック状態となったか否かを確認する（Ｓ１２）。受話器３がオンフック状態であれば（Ｓ１２：Ｙｅｓ）、処理をＳ１へ移行して、次の呼出信号を待機する（Ｓ１）。一方、受話器３がオフフック状態のままであれば（Ｓ１２：Ｎｏ）、処理をＳ６の電話処理へ移行する。
【００４１】
Ｓ７の処理において、受話器３から割り込み音が鳴動されなければ（Ｓ７：Ｎｏ）、２つの電話回線が閉結中であるのか否かを判断する（Ｓ１３）。２つの電話回線が閉結中でない場合には（Ｓ１３：Ｎｏ）、もともと１つの電話回線しか閉結されていないか、或いは、１つの電話回線の閉結中にあった新たな着呼が途絶えたということである。よって、この場合には、新たな着呼（Ｓ７：Ｙｅｓ）により実行される第２発信者番号表示処理（Ｓ８）によって、ＬＣＤ５の下段へ第２発信者番号が表示されることを考慮して、ＬＣＤ５の下段の表示を消去するのである（Ｓ１４）。消去後は、処理をＳ１２へ移行して、受話器３がオンフック状態であるのか否かを判断する（Ｓ１２）。
【００４２】
一方、Ｓ１３の処理において、２つの電話回線が閉結中である場合には（Ｓ１３：Ｙｅｓ）、切替ボタン４ｂが押下されたか否かを判断する（Ｓ１５）。切替ボタン４ｂが押下されていなければ（Ｓ１５：Ｎｏ）、そのまま通話が継続され、処理をＳ１２へ移行して、受話器３がオンフック状態であるのか否かを判断する（Ｓ１２）。
【００４３】
切替ボタン４ｂが押下されると（Ｓ１５：Ｙｅｓ）、通話相手を切り替えるとともに、ＬＣＤ５の表示上で接続マーク５ａの位置を上下逆に移動する（Ｓ１６）。即ち、接続マーク５ａの位置をＬＣＤ５の上段から下段へ、或いは、下段から上段へ移動するのである。よって、通話相手が切り替えられても、通話者は、ＬＣＤ５の表示内容を見ることにより、通話中の相手側装置と待機中の相手側装置を識別することができるのである。接続マーク５ａの位置を上下逆に移動した後（Ｓ１６）、１つの電話回線が開放されたか否かを判断する（Ｓ１７）。電話回線が開放されていなければ（Ｓ１７：Ｎｏ）、処理をＳ１２へ移行して、受話器３がオンフック状態か否かを判断する（Ｓ１２）。
【００４４】
一方、２つの電話回線の閉結中に一方の電話回線が開放されると（Ｓ１７：Ｙｅｓ）、電話回線を開放した発信者の表示をＬＣＤ５から消去する（Ｓ１８）。よって、通話者は、ＬＣＤ５の表示内容を見ることにより、電話回線が閉結されている相手側装置を認識することができるのである。なお、発信者の表示の消去後は（Ｓ１８）、残った発信者の表示の横に接続マーク５ａを表示し（Ｓ１９）、図７に示す発信者番号メモリ初期化処理（Ｓ２０）を実行する。
【００４５】
図７の発信者番号メモリ初期化処理では、まず、接続マーク５ａのある方の相手側装置（発信者）の表示に対応する第１発信者番号メモリ１４ａの内容、または、第２発信者番号メモリ１４ｂの内容を第１発信者番号メモリ１４ａへ書き込む（Ｓ４１）。書き込み後（Ｓ４１）、第２発信者番号メモリ１４ｂの内容を「０」クリアする（Ｓ４２）。「０」クリア後（Ｓ４２）、第１発信者番号メモリ１４ａの内容は「０」か否かを判断し（Ｓ４３）、判断の結果、第１発信者番号メモリ１４ａの内容が「０」でない場合には（Ｓ４３：Ｎｏ）、第１発信者番号メモリ１４ａの内容をＬＣＤ５の上段へ点灯して表示する（Ｓ４４）。一方、第１発信者番号メモリ１４ａの内容が「０」である場合には、「第１発信者」をＬＣＤ５の上段へ点灯して表示するのである（Ｓ４５）。ＬＣＤ５の上段への点灯後（Ｓ４４，Ｓ４５）、ＬＣＤ５の下段の表示を消去するとともに（Ｓ４６）、ＬＣＤ５の接続マーク５ａを消去して（Ｓ４７）、この発信者番号メモリ初期化処理（Ｓ２０）を終了する。発信者番号メモリ初期化処理（Ｓ２０）の終了後は、図４のＳ１２の処理へ移行して、受話器３がオンフック状態であるのか否かを判断する（Ｓ１２）。
【００４６】
なお、請求項１、４または５に記載の表示手段としては、Ｓ１０、Ｓ１１、Ｓ１６、Ｓ２３、Ｓ２５、Ｓ３３及びＳ３５の処理が、請求項１、４または５に記載の識別手段としては、Ｓ１１、Ｓ１６、Ｓ３３、Ｓ３５の処理が、請求項５記載の消去手段としては、Ｓ１８の処理が、それぞれ該当する。
【００４７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４８】
例えば、本実施例では、図４のフローチャートに示すように、通話中の相手側装置としては、本ファクシミリ装置１へ発呼した発呼側装置を例にして説明した。しかし、本ファクシミリ装置１の発呼先装置を通話中の相手側装置として用いることも当然に可能である。この場合には、発呼先の電話番号を第１発信者番号メモリ１４ａに記憶するとともに、その第１発信者番号メモリ１４ａの内容をＬＣＤ５の上段に表示するのである。
【００４９】
また、本実施例では、相手側装置の情報として、交換機２９から送られる相手側装置の電話番号を用い、その電話番号をＬＣＤ５へ表示した。しかし、かかる相手側装置の電話番号に代えて、交換機２９から送られる相手側装置の電話番号に対応つけて相手側装置の名称を記憶しておき、その記憶された名称を相手側装置の情報としてＬＣＤ５へ表示するようにしても良い。
【００５０】
【発明の効果】
【００５１】
【００５２】
【００５３】
【００５４】
【００５５】
請求項１記載の電話装置によれば、１の相手側装置との回線の閉結中に新たに他の相手側装置から着呼があった場合には、回線を閉結している１の相手側装置の情報と新たに着呼した他の相手側装置の情報とが識別可能に表示される。また、回線を閉結している１の相手側装置の情報と新たに着呼した他の相手側装置の情報とが表示装置に上下２段にそれぞれ表示され、回線を閉結している１の相手側装置の情報が表示装置の上段側に表示される一方、他の相手側装置の情報が表示装置の下段側に表示される。よって、通話者は通話中の相手側装置と新たに着呼した他の相手側装置とを識別することができるという効果がある。
【００５６】
請求項２記載の電話装置によれば、請求項１記載の電話装置の奏する効果に加え、更に、１の相手側装置または他の相手側装置のいずれか一方の情報を点滅表示、反転表示または太字表示するので、通話者は、表示内容により通話中の相手側装置と新たに着呼した他の相手側装置とを識別することができるという効果がある。
【００５７】
請求項３記載の電話装置によれば、請求項１記載の電話装置の奏する効果に加え、更に、１の相手側装置または他の相手側装置のいずれか一方の情報に識別マークを付加して表示するので、通話者は、表示内容により通話中の相手側装置と新たに着呼した他の相手側装置とを識別することができるという効果がある。
【００５８】
請求項４記載の電話装置によれば、請求項１から３のいずれかに記載の電話装置の奏する効果に加え、更に、第１受信手段、第２受信手段および記憶手段により受信または記憶される相手側装置の電話番号に基づいて、相手側装置の情報が表示装置へ表示される。よって、通話者は１の相手側装置と他の相手側装置とを認識することができるという効果がある。
【００５９】
請求項５記載の電話装置によれば、請求項１から４のいずれかに記載の電話装置の奏する効果に加え、更に、回線が開放された相手側装置の情報は表示装置から消去されるので、２以上の回線の閉結中に１の回線が開放された場合にも、通話者は、表示内容によって回線が閉結されている相手側装置を認識することができるという効果がある。
【００６０】
【図面の簡単な説明】
【図１】  本発明の一実施例であるファクシミリ装置の斜視図である。
【図２】  上記ファクシミリ装置の電気的構成を示したブロック図である。
【図３】  （ａ）は、２つの電話回線が同時に閉結している場合におけるＬＣＤの表示内容を示した図であり、（ｂ）は、通話中に新たな着呼があった場合におけるＬＣＤの表示内容を示した図であり、（ｃ）及び（ｄ）は、２つの電話回線が同時に閉結している場合における１行表示のＬＣＤの表示内容を示した図である。
【図４】  着信時の処理を示したフローチャートである。
【図５】  第１発信者番号表示処理を示したフローチャートである。
【図６】  第２発信者番号表示処理を示したフローチャートである。
【図７】  発信者番号メモリ初期化処理を示したフローチャートである。
【符号の説明】
１          ファクシミリ装置（電話装置）
５          液晶表示器（ＬＣＤ）（表示装置）
１４        ＲＡＭ
１４ａ      第１発信者番号メモリ（記憶手段）
１４ｂ      第２発信者番号メモリ
１９        ネットワークコントロールユニット（ＮＣＵ）（第１受信手段及び第２受信手段の一部）
２０        モデム（第１受信手段及び第２受信手段の一部）
２１        バッファ（第１受信手段及び第２受信手段の一部）
２９        交換機
３１，３２  電話回線（回線）
【図１】
0003959827.tif 000002
【図２】
0003959827.tif 000003
【図３】
0003959827.tif 000004
【図４】
0003959827.tif 000005
【図５】
0003959827.tif 000006
【図６】
0003959827.tif 000007
【図７】
0003959827.tif 000008